(57)【特許請求の範囲】
【請求項１】
光ディスクの回転時に光ディスクの情報面に焦点を合わせて照射光を照射する手段と、上記照射光の反射光を受光する複数に分割された分割受光素子と、上記分割受光素子の各出力信号を加算し加算信号を出力する演算手段と、上記分割受光素子の各出力信号と上記加算信号を遅延させる遅延手段を具備し、
上記遅延手段から得られる一定時間遅延された上記加算信号との位相差を検出して第１の位相差信号を生成し、上記加算信号と上記遅延手段から得られる一定時間遅延された上記分割受光素子の分割領域の出力信号との位相差を検出して第２の位相差信号を生成し、上記第１の位相差信号と第２の位相差信号の差信号をトラッキング誤差信号として使用することを特徴とするトラッキング誤差信号検出装置。
【請求項２】
光ディスクの回転時に光ディスクの情報面に焦点を合わせて照射光を照射する手段と、上記照射光の反射光を受光する上記光ディスクの記録トラックの接線方向に沿って２分割され上記記録トラックの接線方向に直交する方向に沿って更に２分割された４分割ディテクタと、上記４分割ディテクタの４個の分割領域のうち上記記録トラックの接線方向に直交する方向に沿って２分割されたうち上記記録トラックの接線方向前方の２個の分割領域を第１の分割領域と第２の分割領域とし、上記記録トラックの接線方向後方の２個の分割領域を第３の分割領域と第４の分割領域とすると、上記第１の分割領域の出力信号と第２の分割領域の出力信号との位相差を検出して第１の位相差信号を生成する手段と、上記第３の分割領域の出力信号と第４の分割領域の出力信号との位相差を検出して第２の位相差信号を生成する手段と、上記第１の位相差信号と第２の位相差信号を加算もしくは減算して位相差信号を生成する手段と、前記位相差信号を平滑化してトラッキング誤差信号を生成する手段とを具備したトラッキング誤差信号検出装置であって、
上記第１の分割領域と第２の分割領域の出力信号間および上記第３の分割領域と第４の分割領域の出力信号間に一定量の位相差を与える遅延手段を具備し、上記照射光が上記記録トラックのトラック中心をトラックの接線方向に走査する場合において、上記遅延手段により上記第１の分割領域と第２の分割領域の出力信号間および上記第３の分割領域と第４の分割領域の出力信号間に一定量の位相差が発生するようしたこと特徴とするトラッキング誤差信号検出装置。
【請求項３】
光ディスクの回転時に光ディスクの情報面に焦点を合わせて照射光を照射する手段と、上記照射光の反射光を受光する上記光ディスクの記録トラックの接線方向に沿って２分割され上記記録トラックの接線方向に直交する方向に沿って更に２分割された４分割ディテクタと、上記４分割ディテクタの４個の分割領域の各出力信号を加算した加算信号を出力する手段と、上記４分割ディテクタの４個の分割領域のうち上記記録トラックの接線方向に直交する方向に沿って２分割されたうち上記記録トラックの接線方向前方の２個の分割領域を第１の分割領域と第２の分割領域とし、上記記録トラックの接線方向後方の２個の分割領域を第３の分割領域と第４の分割領域とし、上記加算信号と上記第１〜第４の分割領域の各出力信号との位相差を検出して第１〜第４の位相差信号を生成する手段と、上記第１の位相差信号と第２の位相差信号を減算して第５の位相差信号を生成する手段と、上記第３の位相差信号と第４の位相差信号を減算して第６の位相差信号を生成する手段と、上記第５の位相差信号と第６の位相差信号を加算もしくは減算して位相差信号を生成する手段と、前記位相差信号を平滑化してトラッキング誤差信号を生成する手段とを具備したトラッキング誤差信号検出装置であって、
上記加算信号と上記第１〜第４の分割領域の各出力信号との間に一定量の位相差を与える遅延手段を具備し、上記照射光が上記記録トラックのトラック中心をトラックの接線方向に走査する場合において、上記遅延手段により上記加算信号と上記第１〜第４の分割領域の各出力信号との間に一定量の位相差が発生するようにしたことを特徴とするトラッキング誤差信号検出装置。
【発明の詳細な説明】
【０００１】
【発明の属する技術分野】
本発明は光ディスクなどの光学的情報記録媒体上にレーザービームを照射して情報を再生する装置におけるトラッキング誤差信号検出装置に関する。
【０００２】
【従来の技術】
近年、光ディスクの高密度化が進んでいるが、光ディスクの狭トラックピッチ化に伴い、トラッキング誤差信号の感度低下が懸念されている。
【０００３】
以下、従来のＤＰＤ方式によるトラッキング誤差信号検出装置について説明する。図１は従来のトラッキング誤差信号検出装置のブロック図を示す。
【０００４】
図１には、光ディスクの情報面のトラックに形成されたピット１０１と、ビームスポット１０２を模式的に示している。ビームスポットは、情報面に焦点を合わせて照射光を照射する手段から得られている。情報面から反射された反射光は、受光素子１０３に導かれる。この受光素子１０３は、Ａ，Ｂ，Ｃ，Ｄの４つに分割されている（以下4分割受光素子と言う）。１０４ａ，１０４ｂは４分割受光素子Ａ〜Ｄの出力信号Ａ１とＣ１、Ｂ１とＤ１をそれぞれ加算する加算器、１０５ａ，１０５ｂは、加算器１０４ａ，１０４ｂの出力Ｓ１、Ｔ１をそれぞれ処理する高域強調回路、１０６ａ，１０６ｂはそれぞれ高域強調回路１０５ａ，１０５ｂの出力を２値信号に変換する２値化器、１０７は２値化器１０６ａ，１０６ｂの出力Ｓ２，Ｔ２から位相差を検出する位相差検出器、１０８ａ，１０８ｂは，位相差検出器１０７から得られる２つの位相差出力Ｓ３，Ｔ４をそれぞれフィルタリングするＬＰＦ（ローパスフィルタ）、１０９はＬＰＦ１０８ａ，１０８ｂの出力の減算処理を行なう減算器である。
【０００５】
以下、このトラッキング誤差信号検出装置の動作を図２を用いて説明する。図２は図１の各信号Ｓ１〜Ｓ３、Ｔ１〜Ｔ３の動作波形を模式的に表したものである。４分割受光素子のうち対角関係にある素子の出力の和である出力信号Ｓ１（＝（Ａ１＋Ｃ１）），Ｔ１（＝（Ｂ１＋Ｄ１））はトラックオフセットが存在する場合にはトラックオフセット量に依存した位相差が現れる。Ｓ１，Ｔ１は高域強調回路１０５によって高域をブーストした後、２値化器１０６によりそれぞれ２値化信号Ｓ２，Ｔ２に変換される。その後、位相差検出器１０７によってＳ２，Ｔ２の信号から位相差を検出し、Ｓ２がＴ２より位相が進んでいる場合には進み位相と判断し、位相差に相当する時間幅の進み位相パルスＳ３が出力される。逆にＴ２がＳ２より位相が遅れている場合には遅れ位相パルスＴ３が出力される。Ｓ３，Ｔ３はそれぞれにＬＰＦ（ローパスフィルタ）１０８を通過後、減算器１０９に入力され、減算処理されトラッキング誤差信号が生成される。
【０００６】
また、この他にも上述の出力信号（Ａ１＋Ｃ１）の（Ｂ１＋Ｄ１）の位相差を検出する方法以外に、図３示すような信号Ａ１とＤ１の位相差および信号Ｃ１とＢ１の位相差を検出してその平均をトラッキング誤差信号とする方法がある。
【０００７】
即ち、出力信号Ａ１，Ｄ１が高域強調回路３０２ａ，３０２ｂに入力され、高域強調回路３０２ａ，３０２ｂの出力が２値化回路３０３ａ，３０３ｂで２値化され、この2値化信号の位相差が位相差検出器３０４ａで検出される。位相差検出器３０４ａからの進み位相パルスと、遅れ位相パルスとがＬＰＦ３０５ａ，３０５ｂを介して減算器３０６ｂに入力される。一方、４分割受光素子の出力信号Ｂ１，Ｃ１が高域強調回路３０２ｃ，３０２ｄに入力され、高域強調回路３０２ｃ，３０２ｄの出力が２値化回路３０３ｃ，３０３ｄで２値化され、この2値化信号の位相差が位相差検出器３０４ｂで検出される。位相差検出器３０４ｂからの進み位相パルスと、遅れ位相パルスとがＬＰＦ３０５ｃ，３０５ｄを介して減算器３０６ｂに入力される。減算器３０６ａ，３０６ｂの出力が加算器で加算され位相誤差信号として用いられる。
【０００８】
図４は、図３に示した構成例の出力信号Ａ１，Ｄ１側の信号処理系統を示している。つまり、減算器３０６ａの出力を位相誤差信号として用いても良い。
【０００９】
ところで、近年の光ディスクの高密度化および転送レートの増大に伴う高線速化によって、トラッキング誤差信号を検出するための位相差パルス（進み位相パルス、遅れ位相パルス）の時間幅が短くなっており、これを高精度で検出する必要がある。特に、ＤＶＤ（デジタルバーサタイルディスク）の次の世代の高密度光ディスクでは、狭トラックピッチ化されることが予想され、ビームスポットがトラックセンターを高精度で追従することが要求される。ＤＰＤ方式に代表される従来例のような位相差検出に基づくトラッキング誤差信号検出方式では、ビームスポットがトラックセンター付近にある場合には検出すべき位相差パルスの時間幅が微小になってしまうため、次世代の高密度光ディスクでは検出回路の動作速度の限界により位相差パルスが検出できない、検出回路のパルス幅の精度限界に起因するトラッキング誤差信号の精度が劣化するという問題がある。
【００１０】
このような問題に対して、特願平８−２６３８５６号では微小なパルス幅を検出できるトラッキング誤差信号検出装置が提案されている。特願平８−２６３８５６号では、回路構成を工夫しパルス幅検出の際に短いパルス幅を直接検出するのではなく、位相差に応じたパルス幅の差になる２つのパルスを一旦生成し、その差を減算器で減算処理することで回路動作速度に依存しない方法で微小なパルス幅を検出している。
【００１１】
【発明が解決しようとする課題】
しかしながら、トラックセンター付近をビームスポットが走査している場合には、位相差が微小になるため、位相差検出の回路動作速度の限界を越えてしまうことや、ノイズの影響に弱く、ノイズによる位相差の方向自体が逆転する等により、検出回路の誤動作を引き起こしやすいことが原因で、トラッキング誤差信号の検出感度、検出精度の低下の問題がある。また、登録特許2743859号記載の方法では、回路構成が複雑化する問題があった。
【００１２】
そこで本発明は従来のトラッキング誤差信号検出装置における上述の問題を解決し、高密度化、高線速度化によるトラッキング誤差信号検出の精度低下を抑圧でき、かつ回路構成が簡単なトラッキング誤差信号検出装置を提供することを目的とする。
【００１３】
【課題を解決するための手段】
この発明では、基本的に光ディスクの回転時に光ディスクの情報面に焦点を合わせて照射光を照射する手段と、上記照射光の反射光を受光する複数に分割された分割受光素子と、上記分割受光素子の各出力信号を加算し加算信号を出力する演算手段と、上記分割受光素子の各出力信号と上記加算信号を遅延させる遅延手段を具備し、上記遅延手段から得られる一定時間遅延された上記加算信号との位相差を検出して第１の位相差信号を生成し、上記加算信号と上記遅延手段から得られる一定時間遅延された上記分割受光素子の分割領域の出力信号との位相差を検出して第２の位相差信号を生成し、上記第１の位相差信号と第２の位相差信号の差信号をトラッキング誤差信号として使用することを特徴とする。
【００１４】
【発明の実施の形態】
以下、本発明の実施の形態について図面を参照して説明する。
【００１５】
図５は本発明に係わる第１の実施の形態を示すトラッキング誤差信号検出装置のブロック図である。光学ピックアップは一般的な光学系であり、図５に示すように光ディスクに照射された照射光の反射光は光ディスクの情報トラックの左右上下に対応した一般的な４分割受光素子６０１に入射される。この４分割受光素子の出力は、以下に説明する手順によりトラッキング誤差信号を検出するために用いられる。
【００１６】
４分割受光素子６０１の出力信号Ａ１，Ｂ１，Ｃ１，Ｄ１のうち、対角に位置するＡ１、Ｃ１は、加算器６０２ａに入力され、Ｂ１，Ｃ１は、加算器６０２ｂに入力される。
【００１７】
加算器６０２ａ，６０２ｂからは（Ａ１＋Ｃ１），（Ｂ１＋Ｄ１）の２個の直接信号が生成される。直接信号（Ａ１＋Ｃ１）は高域強調回路６０３ａによってブーストされた後、２つに分岐し、そのうち１つは遅延素子６０４ａによって一定時間遅延された遅延信号（Ａ１ｄ＋Ｃ１ｄ）となる。同様に、直接信号（Ｂ１＋Ｄ１）は高域強調回路６０３ｂによってブーストした後、２つに分岐し、そのうち１つは遅延素子６０４ｂによって一定時間遅延された遅延信号（Ｂ１ｄ＋Ｄ１ｄ）となる。
【００１８】
遅延信号（Ａ１ｄ＋Ｃ１ｄ）と直接信号（Ｂ１＋Ｄ１）は、位相差検出処理ブロック６０９ａに入力され、また、遅延信号（Ｂ１ｄ＋Ｄ１ｄ）と直接信号（Ａ１＋Ｃ１）は、位相差検出処理ブロック６０９ｂに入力される。
【００１９】
図では、位相差検出処理ブロック６０９ａを代表して示している。この位相差検出処理ブロック６０９ａの位相差検出動作は次の通りである。
【００２０】
遅延信号（Ａ１ｄ＋Ｃ１ｄ）と直接信号（Ｂ１＋Ｄ１）はそれぞれ２値化器６０５ａ，６０５ｂによって２値化信号Ｓ２，Ｔ２となって位相差検出器６０６に入力される。
【００２１】
図６、図７は一般的な位相差検出器の構成とその動作波形例であり、Ｓ２，Ｔ２の信号から位相差を検出し、Ｓ２がＴ２より位相が進んでいる場合には進み位相と判断し、位相差に相当する時間幅の進み位相差パルスＳ３を出力する。逆にＴ２がＳ２より位相が遅れている場合には遅れ位相差パルスＴ３を出力する。すなわち、遅延信号（Ａ１ｄ＋Ｃ１ｄ）が直接信号（Ｂ１＋Ｄ１）より位相が進んでいる場合には進み位相差パルスＳ３を出力し、逆に遅延信号（Ａ１ｄ＋Ｃ１ｄ）が直接信号（Ｂ１＋Ｄ１）より位相が遅れている場合は遅れ位相差パルスＴ３を出力する。
【００２２】
図５に戻り説明する。先の進み位相差パルスＳ３，遅れ位相差パルスＴ３はそれぞれにＬＰＦ（ローパスフィルタ）３０７ａ，３０７ｂを通過後、減算器３１１で減算処理され、位相差信号ＰＨ１となる。
【００２３】
同様に、直接信号（Ａ１＋Ｃ１）と遅延信号（Ｂ１ｄ＋Ｄ１ｄ）は位相差検出処理ブロック６０９ｂに入力され、この位相差処理ブロック６０９ｂからは位相差信号ＰＨ２が出力される。その後、位相差信号ＰＨ１と位相差信号ＰＨ２は加算器６１０での加算処理され、その結果がトラッキング誤差信号となる。
【００２４】
次に本発明のトラッキング誤差信号検出装置の作用について説明する。図８は従来の位相差検出方式により得られるトラッキング誤差信号の検出感度を示すトラックオフセット依存性のグラフである。縦軸はビームスポットが情報トラック上をトラックの接線方向にある一定の距離走査した時に検出される位相差量（進み位相パルス幅と遅れ位相パルス幅の総和）の割合を示している。トラックオフセットが０の場合は検出されるパルスの位相差量の割合は０であり、トラックオフセットが増えるに応じて検出されるパルスの位相差量が増える。
【００２５】
光ディスクの線密度が比較的低い、線速度が小さい場合には問題ないが、線密度および線速度が高くなってくると単位オフセット量に対して検出されるパルスの位相差量は微小になり、パルス幅検出回路の動作速度の限界、位相差検出時間幅の精度の限界により高精度な検出が難しくなる。
【００２６】
図９はトラック中心をビームスポットが走査した時に検出される位相差パルスのパルス幅と検出頻度の関係を示した図である。図９に示すようにトラック中心をビームスポットが走査する場合は、検出される位相差パルスのパルス時間幅は０付近が最も頻度が高くなる。斜線部の範囲で示したパルス幅検出回路の動作速度の限界による検出不能な位相差検出時間幅の微小な領域は線密度、線速度が高くなるとパルス時間幅分布に対して相対的に大きくなることから、実際のトラッキング誤差信号ＴＥの検出感度は図１０に示すようにトラック中心付近で検出感度が鈍くなってしまう。
【００２７】
本発明の構成では、位相差検出処理において、位相差検出を行う２つの信号のうちあらかじめ片方の信号に一定時間の遅延処理を行っているため、トラック中心をビームスポットが走査している場合、位相差パルスのパルス幅分布は遅延時間分のオフセットが加わった位置が中心となる。すなわち、トラック中心をビームスポットが走査した場合、図１１に示すように位相差検出ブロック６０９ａ内の位相差検出器６０６では、直接信号（Ｂ１＋Ｄ１）が遅延信号（Ａ１ｄ＋Ｃ１ｄ）より一定時間の位相差進んだ位置を中心に位相差パルス時間幅のヒストグラムが分布し、位相差検出信号ＰＨ１のトラックオフセット依存性は図１２（Ａ）のＰＨ１に示すようになる。
【００２８】
逆に位相差検出ブロック６０９ｂ内の位相差検出器６０６では、図１１に示すように遅延信号（Ｂ１ｄ＋Ｄ１ｄ）が直接信号（Ａ１＋Ｃ１）より一定時間の位相差遅れた位置を中心に位相差パルス時間幅のヒストグラムが分布し、位相差検出信号ＰＨ２のトラックオフセット依存性は図１２（Ａ）のＰＨ２に示すようになる。図１２（Ａ）に示す位相差検出信号ＰＨ１、位相差検出信号ＰＨ２の平均をとることで、図１２（Ｂ）に示すようにトラッキング誤差信号が得られる。
【００２９】
すなわち、本発明の構成ではトラック中心付近をビームスポットが走査した場合でも位相差検出の時間幅が極端に短くならず、高精度な位相差検出処理が可能になる。なお、本発明は上記構成によらず、例えば位相比較器６０９ａもしくは位相比較器６０９ｂのどちらかにおいて、入力信号を逆にして加算器６１０を減算器に変更しても同等の効果が得られることは言うまでもない。
【００３０】
図１３は本発明に係わる第２の実施の形態によるトラッキング誤差信号検出装置のブロック図である。
【００３１】
この実施の形態は、４分割受光素子からの信号Ａ１とＤ１の位相差および信号Ｃ１とＢ１の位相差を検出してその平均をトラッキング誤差信号として得る方法である。
【００３２】
４分割受光素子１４０１からの信号Ａ１は高域強調回路１４０２ａによってブーストされた後、２つに分岐し、そのうち１つは遅延素子１４０３ａによって一定時間遅延された遅延信号Ａ１ｄとなる。同様に、信号Ｄ１は高域強調回路１４０２ｂによってブーストされた後、２つに分岐し、そのうち１つは遅延素子１４０３ｂによって一定時間遅延された遅延信号Ｄ１ｄとなる。遅延信号Ａ１ｄと直接信号Ｄ１は、位相差検出処理ブロック１４０４ａにて位相差検出処理が行われ、位相差信号ＰＨ１が出力される。同様に直接信号Ａと遅延信号Ｄ１ｄは位相差検出処理ブロック１４０４ｂにて位相差検出処理が行われ、位相差信号ＰＨ２が出力される。位相差信号ＰＨ１と位相差信号ＰＨ２は加算器１４０９ａによって和信号となり、これが信号Ａ１とＤ１間の位相差信号ＰＨ（Ａ，Ｄ）になる。
【００３３】
同様に、遅延信号Ｃ１と直接信号Ｄ１間の位相差信号ＰＨ３，直接信号Ｃ１と遅延信号Ｄ１間の位相差信号ＰＨ４から信号Ｃ１とＢ１間の位相差信号ＰＨ（Ｃ，Ｂ）が生成される。次に位相差信号ＰＨ（Ａ，Ｄ）と位相差信号ＰＨ（Ｃ，Ｂ）を平均し、トラッキング誤差信号を得る。
【００３４】
本発明の構成により、上述と同等の理由から、トラック中心付近をビームスポットが走査した場合に、信号Ａ１，信号Ｄ１間の位相差および信号Ｃ１，信号Ｂ１間の位相差は、ほぼ０になる（位相差パルス幅分布の中心は０付近になる）ため、位相差検出処理時の検出パルス幅が０付近にならず、高精度な位相差検出処理が可能になる。
【００３５】
位相差検出処理ブロック１４０３ａ〜１４０３ｄの内部構成は、先の図５の場合と同様であり、位相差検出処理ブロック１４０３ｄの構造を代表して示している。
【００３６】
上記した図１１の実施の形態は、４分割受光素子１４０１の出力信号Ａ１〜Ｄ１の全てを用いたが、出力信号Ａ１、Ｄ１の系統のみを用いて１４０９ａの出力PH(A,D)をそのまま位相誤差信号として利用してもよい。
【００３７】
また、本発明では、図１４に示すような構成も可能である。
【００３８】
即ち、図１４の実施の形態では、出力信号Ａ１，Ｄ１は高域強調回路１５０２ａ，１５０２ｂに入力される。高域強調回路１５０２ａの出力は遅延素子１５０３ａを介して位相差検出処理ブロック１５０４ａに入力され、高域強調回路１５０２ｂの出力は直接、位相差検出処理ブロック１５０４ａに入力される。
【００３９】
また、出力信号Ｂ１，Ｃ１は高域強調回路１５０２ｃ，１５０２ｄに入力される。高域強調回路１５０２ｄの出力は遅延素子１５０３ｂを介して位相差検出処理ブロック１５０４ｂに入力され、高域強調回路１５０２ｃの出力は直接、位相差検出処理ブロック１５０４ｂに入力される。
【００４０】
位相差検出処理ブロックは、１５０４ｂを代表して示している。遅延素子１５０２ｃの出力と、高域強調回路１５０２ｃの出力は、２値化回路１５０５ａ，１５０５ｂで２値化される。この2値化信号の位相差が位相差検出器１５０６で検出される。位相差検出器１５０６からの進み位相パルスと、遅れ位相パルスとがＬＰＦ１５０７ａ，１５０７ｂを介して減算器１５０８に入力される。減算器１５０８の出力が加算器１５０９、位相誤差検出処理ブロック１５０４ａからの出力と加算され位相誤差信号として用いられる。
【００４１】
すなわち、この実施の形態は、トラック中心付近を走査している場合に、信号Ａ１，信号Ｄ１間の位相差を検出する際に、信号Ａ１が信号Ｄ１に対して一定時間幅に相当する位相が進む位置に検出パルス時間幅のヒストグラムが分布し、逆に信号Ｃ１，信号Ｂ１間の位相差を検出する際には、信号Ｃ１が信号Ｂ１に対して一定時間幅に相当する位相が遅れる位置に検出パルス時間幅のヒストグラムが分布するような構成である。このような構成では、図１３に示す方式と比較して、ほぼ同等の高精度な位相差検出が可能であり、かつ回路規模を小さくすることができる。
【００４２】
なお、図１４にて遅延処理を信号Ａ１と信号Ｂ１ではなく、信号Ｃ１と信号Ｄ１にしても同等の効果が得られることは言うまでもない。
【００４３】
図１５は本発明に係わる第３の実施の形態によるトラッキング誤差信号検出装置のブロック図である。
【００４４】
即ち、この実施の形態では、検出信号Ａ１〜Ｄ１がそれぞれ高域強調回路１６０３ａ〜１６０３ｄを介して、位相差検出処理ブロック１６０５ａ〜１６０５ｄに入力される。また検出信号Ａ１〜Ｄ１は、加算器１６０２において加算され、この加算出力は、高域強調回路１６０３ｅを介して遅延素子１６０４に入力され遅延される。そしてこの遅延素子１６０４の出力が、各位相差検出ブロック１６０５ａ〜１６０５ｄに入力される。
【００４５】
位相差検出処理ブロック１６０５ａ、１６０５ｂの出力は減算器１６１０ａに入力され減算処理され、位相差検出処理ブロック１６０５ｃ、１６０５ｄの出力は減算器１６１０ｂに入力され減算処理される。そしてこの減算器１６１０ａ，１６１０ｂの出力が加算器１６１１で加算される。この加算出力がトラッキングエラー信号として用いられる。
【００４６】
つまりこの実施の形態では、信号Ａ１〜Ｄ１とのその和信号（Ａ１＋Ｂ１＋Ｃ１＋Ｄ１）間の位相差をそれぞれ独立に検出し、検出された４つの位相差信号を加減算する方式である。
【００４７】
信号Ａ，Ｂ，Ｃ，Ｄから加算器１６０２により和信号（Ａ１＋Ｂ１＋Ｃ１＋Ｄ１）が生成され、高域強調回路１６０３ｅよってブーストした後、遅延素子１６０４によって一定時間遅延されてた遅延信号（Ａ１ｄ＋Ｂ１ｄ＋Ｃ１ｄ＋Ｄ１ｄ）となる。高域強調回路１６０３ａ〜１６０３ｄによってブーストされた信号Ａ１，Ｂ１，Ｃ１，Ｄ１はそれぞれ位相差検出処理ブロック１６０５ａ〜１６０５ｄに入力され、遅延信号（Ａ１ｄ＋Ｂ１ｄ＋Ｃ１ｄ＋Ｄ１ｄ）との位相差検出処理が行われ、位相差信号ＰＨ１〜ＰＨ４がそれぞれ出力される。位相差信号ＰＨ１、ＰＨ２間の減算処理および位相差信号ＰＨ３，ＰＨ４間の減算処理が減算器１６１０ａ，１６１０ｂにて行われ、その結果出力の平均がトラッキング誤差信号となる。信号（Ａ１＋Ｂ１＋Ｃ１＋Ｄ１）に意図的に与えた遅延処理によるオフセット量は、位相差信号ＰＨ１（ＰＨ３），ＰＨ２（ＰＨ４）間の減算処理においてちょうどキャンセルされる。
【００４８】
このため、トラッキング誤差信号はトラック中心を走査しているときに０となる。光ディスクの実効的なピット深さがλ／４ｎ（λ：波長，ｎ：基板の屈折率）に近い場合には、トラック中心を走査しているときに和信号（Ａ１＋Ｂ１＋Ｃ１＋Ｄ１）と各信号Ａ１，Ｂ１，Ｃ１，Ｄ１の位相差が０に近づくので、和信号（Ａ１＋Ｂ１＋Ｃ１＋Ｄ１）に遅延処理を行う処理によって、高精度な位相差検出処理が可能となる。
【００４９】
上述したさまざまな実施形態において、遅延処理にて与える遅延時間は２つの信号の位相差検出処理を行う際における最小の検出時間幅以上にする（オフセットさせる）ことが望ましい。また、遅延処理にて与える遅延時間を長くしすぎると、２つの信号の正しい位相差関係を検出できなくなり、検出感度自体が悪化するため、遅延時間は光ディスクに記録されている情報信号を再生するのに用いられるチャンネル周波数の周期時間以下にすることが望ましい。
【００５０】
【発明の効果】
上述したように、本発明の構成によれば、光ディスクの高密度、高線速化によって、トラッキング誤差信号を検出するための回路の動作速度限界、回路の精度限界から起きるトラッキング誤差信号の検出性能の劣化を簡単な回路構成で抑制することができる。
【図面の簡単な説明】
【図１】従来のトラッキング誤差信号検出装置のブロック図。
【図２】従来のトラッキング誤差信号検出装置の動作例を示す図。
【図３】従来のトラッキング誤差信号検出装置のブロック図。
【図４】従来のトラッキング誤差信号検出装置のブロック図。
【図５】本発明に係わる第一のトラッキング誤差信号検出装置のブロック図。
【図６】一般的な位相差検出器の構成図。
【図７】一般的な位相差検出器の動作波形を示す図。
【図８】低密度、低線速時におけるトラッキング誤差信号のトラックオフセット依存性を示す図。
【図９】記録トラック中心をビームスポットが走査した時に検出される位相差パルスのパルス時間幅と検出頻度の関係を示す図。
【図１０】高密度、高線速時におけるトラッキング誤差信号のトラックオフセット依存性を示す図。
【図１１】本発明に係わる第１のトラッキング誤差信号検出装置（図５）において、記録トラック中心をビームスポットが走査した時、位相差検出器で検出される位相差パルスのパルス時間幅と検出頻度の関係を示す図。
【図１２】本発明に係わる第１のトラッキング誤差信号検出装置（図５）において、記録トラック中心をビームスポットが走査した時の検出位相差量ＰＨ１，ＰＨ２およびＴＥ信号のトラックオフセット依存性のグラフを示す図。
【図１３】本発明に係わる第２のトラッキング誤差信号検出装置のブロック図。
【図１４】本発明に係わる第３のトラッキング誤差信号検出装置のブロック図。
【図１５】本発明に係わる第４のトラッキング誤差信号検出装置のブロック図。
【符号の説明】
１０１…情報ピット、１０２…ビームスポット、６０１、１４０１、１５０１、１６０１…４分割受光素子、６０２ａ、６０２ｂ、６１０、１４０９ａ、１４０９ｂ、１４１０、１５０９、１６０２、１６１１…加算器、６０３ａ、６０３ｂ、１４０２ａ〜１４０２ｄ、１５０２ａ〜１５０２ｄ、１６０３ａ〜１６０３ｅ…高域強調回路、６０４ａ，６０４ｂ，１４０４ａ〜１４０４ｄ、１５０３a、１５０３ｂ…遅延素子、３０４ａ，３０４ｂ，１４０４ａ〜１４０４ｄ，１５０４ａ，１５０４ｂ…位相差検出ブロック。
【図１】
0003848089.tif 000002
【図２】
0003848089.tif 000003
【図３】
0003848089.tif 000004
【図４】
0003848089.tif 000005
【図５】
0003848089.tif 000006
【図６】
0003848089.tif 000007
【図７】
0003848089.tif 000008
【図８】
0003848089.tif 000009
【図９】
0003848089.tif 000010
【図１０】
0003848089.tif 000011
【図１１】
0003848089.tif 000012
【図１２】
0003848089.tif 000013
【図１３】
0003848089.tif 000014
【図１４】
0003848089.tif 000015
【図１５】
0003848089.tif 000016